(57)【要約】【課題】  簡便に撮影条件を設定することができ、所望の画像を得ることができる撮像装置を提供する。【解決手段】  光学系（２１）とイメージセンサーとを有し、光学系を介してイメージセンサーに結像する光像を変換・処理して撮影画像を生成する撮影手段（２３）と、撮影画像を含む撮影情報をファインダーに表示する表示手段（２４）と、撮影手段が撮影動作を開始するタイミングを指定するシャッタースイッチ（２７）と、シャッタースイッチの複数の操作段階のそれぞれに、撮影に関連した機能を対応付ける機能設定手段（３３）と、シャッタースイッチの操作段階に応じて、対応する撮影に関連した機能を動作させる機能制御手段（３２、３３）とを有する撮像装置である。【選択図】      図３
2006050419.tif 000002
【特許請求の範囲】
【請求項１】
光学系とイメージセンサーとを有し、前記光学系を介して前記イメージセンサーに結像する光像を変換・処理して撮影画像を生成する撮影手段と、
前記撮影画像を含む撮影情報をファインダーに表示する表示手段と、
前記撮影手段が撮影動作を開始するタイミングを指定するシャッタースイッチと、
前記シャッタースイッチの複数の操作段階のそれぞれに、撮影に関連した機能を対応付ける機能設定手段と、
前記シャッタースイッチの操作段階に応じて、対応する前記撮影に関連した機能を動作させる機能制御手段と
を有することを特徴とする撮像装置。
【請求項２】
前記機能設定手段で設定した前記撮影に関連した機能の動作状況を前記ファインダーに表示する状況表示手段を更に有することを特徴とする請求項１に記載の撮像装置。
【請求項３】
前記撮影に関連した機能は、前記撮影手段が使用する撮影条件を決定する機能を有し、
前記表示手段は、前記機能制御手段によって決定された撮影条件を前記撮影画像に適用した新たな撮影画像を前記ファインダー内に表示すること
を特徴とする請求項１に記載の撮像装置。
【請求項４】
前記機能制御手段は、前記シャッタースイッチが第１の操作段階になった時に最初の前記撮影に関連した機能の実行を開始し、最初の前記撮影に関連した機能の実行が完了後、次の前記撮影に関連した機能の実行を開始し、前記シャッタースイッチが第２の操作段階になったときに撮影するタイミングを指定することを特徴とする請求項１に記載の撮像装置。
【請求項５】
前記第１の操作段階で実行される最初の機能は、前記イメージセンサー上に結像するように前記光学系を制御する自動フォーカス機能であることを特徴とする請求項４に記載の撮像装置。
【請求項６】
前記機能制御手段は、
前記シャッタースイッチが第１の操作段階になってから所定時間経過後に次の機能の実行を開始することを特徴とする請求項４に記載の撮像装置。
【請求項７】
前記撮影条件は、「ホワイトバランス」、「露出補正」、「シャッター速度」、「撮影モード」、「測光モード」、「ＩＳＯ感度」、「絞り値」、「フラッシュモード」、「ＡＦフレーム選択」、「連写枚数」、「ブラケット」、「フラッシュ補正」、「彩度」、「コントラスト」、「シャープネス」、「カラー設定」、「ノイズリダクション」、「ノイズフィルタ」、「画像サイズ」の内、少なくとも１つであることを特徴とする、請求項３に記載の撮像装置。
【請求項８】
前記機能制御手段は、前記シャッタースイッチが第１の操作段階にあるときに前記撮影手段が使用する撮影条件を決定する機能を動作させ、前記シャッタースイッチが第２の操作段階になったときに前記撮影条件を決定して撮影手段に撮影開始を指定することを特徴とする請求項１に記載の撮像装置。
【請求項９】
前記撮影条件を決定する機能は、前回の撮影において決定された撮影条件を初期値として適用することを特徴とする請求項８に記載の撮像装置。
【発明の詳細な説明】
【技術分野】
【０００１】
本発明は、簡便な操作で撮影条件を設定することができる撮像装置に関する。
【背景技術】
【０００２】
従来のデジタルカメラでは、ユーザが所望する画像を撮影できるように種々の撮影条件を設定する機能が設けられている。そして、ユーザは、撮影前に撮影モード、シーン設定、ＷＢ（ホワイドバランス）、撮影サイズなどをメニューから選択した後で撮影を実行していた。
【発明の開示】
【発明が解決しようとする課題】
【０００３】
しかし、カメラの機種によって、撮影条件を選択するためのメニュー内容が異なり、更に選択のための操作方法が異なっているため、その操作に慣れるまでは撮影に時間がかかることが多い。また、撮影条件を変更しても得られる画像が所望の画像かどうかは、実際に撮影するまではわからないという不便さがあった。このように、従来の設定方法は必ずしも使い易いものではなかった。
【０００４】
本発明は、かかる事情に鑑みてなされたものであり、簡便に撮影条件を設定することができ、所望の画像を得ることができる撮像装置を提供することを目的とする。
【課題を解決するための手段】
【０００５】
上記課題を解決するための、本発明に係る請求項１に記載の撮像装置は、光学系とイメージセンサーとを有し、前記光学系を介して前記イメージセンサーに結像する光像を変換・処理して撮影画像を生成する撮影手段と、前記撮影画像を含む撮影情報をファインダーに表示する表示手段と、前記撮影手段が撮影動作を開始するタイミングを指定するシャッタースイッチと、前記シャッタースイッチの複数の操作段階のそれぞれに、撮影に関連した機能を対応付ける機能設定手段と、前記シャッタースイッチの操作段階に応じて、対応する前記撮影に関連した機能を動作させる機能制御手段とを有する。
【０００６】
また本発明に係る請求項２に記載の撮像装置は、上記記載の発明である撮像装置において、前記機能設定手段で設定した前記撮影に関連した機能の動作状況を前記ファインダーに表示する状況表示手段を更に有する。
【０００７】
また本発明に係る請求項３に記載の撮像装置は、上記記載の発明である撮像装置において、前記撮影に関連した機能は、前記撮影手段が使用する撮影条件を決定する機能を有し、前記表示手段は、前記機能制御手段によって決定された撮影条件を前記撮影画像に適用した新たな撮影画像を前記ファインダー内に表示する。
【０００８】
また本発明に係る請求項４に記載の撮像装置は、上記記載の発明である撮像装置において、前記機能制御手段は、前記シャッタースイッチが第１の操作段階になった時に最初の前記撮影に関連した機能の実行を開始し、最初の前記撮影に関連した機能の実行が完了後、次の前記撮影に関連した機能の実行を開始し、前記シャッタースイッチが第２の操作段階になったときに撮影するタイミングを指定する。
【０００９】
また本発明に係る請求項５に記載の撮像装置は、上記記載の発明である撮像装置において、前記第１の操作段階で実行される最初の機能は、前記イメージセンサー上に結像するように前記光学系を制御する自動フォーカス機能である。
【００１０】
また本発明に係る請求項６に記載の撮像装置は、上記記載の発明である撮像装置において、前記機能制御手段は、前記シャッタースイッチが第１の操作段階になってから所定時間経過後に次の機能の実行を開始する。
【００１１】
また本発明に係る請求項７に記載の撮像装置は、上記記載の発明である撮像装置において、前記撮影条件は、「ホワイトバランス」、「露出補正」、「シャッター速度」、「撮影モード」、「測光モード」、「ＩＳＯ感度」、「絞り値」、「フラッシュモード」、「ＡＦフレーム選択」、「連写枚数」、「ブラケット」、「フラッシュ補正」、「彩度」、「コントラスト」、「シャープネス」、「カラー設定」、「ノイズリダクション」、「ノイズフィルタ」、「画像サイズ」の内、少なくとも１つである。
【００１２】
また本発明に係る請求項８に記載の撮像装置は、上記記載の発明である撮像装置において、前記機能制御手段は、前記シャッタースイッチが第１の操作段階にあるときに前記撮影手段が使用する撮影条件を決定する機能を動作させ、前記シャッタースイッチが第２の操作段階になったときに前記撮影条件を決定して撮影手段に撮影開始を指定する。
【００１３】
また本発明に係る請求項９に記載の撮像装置は、上記記載の発明である撮像装置において、前記撮影条件を決定する機能は、前回の撮影において決定された撮影条件を初期値として適用する。
【発明の効果】
【００１４】
本発明の撮像装置によれば、簡便に撮影条件を設定することができ、所望の画像を得ることができる。
【発明を実施するための最良の形態】
【００１５】
［第１の実施の形態］
本発明の実施の形態に係る撮像装置は、シャッタボタンの操作のみで簡単に撮影条件を変更する機能を実現する。ユーザは、一連の撮影動作の中でカメラのファインダまたは背面液晶に表示される設定表示画面を見て所望の撮影条件を選択することができる。
【００１６】
図１は、ファインダに表示される設定表示画面を示す図である。
【００１７】
設定表示画面１には、被写体像を表示する画像表示領域２と、撮影条件を設定するための簡易設定領域３が設けられている。そして、簡易設定領域３は、設定項目エリア５と設定値更新エリア６とを備えている。設定項目エリア５は、設定中の項目名を表示する。設定値更新エリア６には、設定中の項目の値がサイクリックに変化する動作が表示される。
【００１８】
次に、図１を参照しつつ設定動作を説明する。
【００１９】
ユーザがシャッタボタンを半押しすると、カメラは合焦動作を開始する。そして、半押しから一定時間が経過すると、簡易設定領域３の設定項目エリア５に設定項目名が表示され、設定値更新エリア６にスライダ７が表示される。図１では、設定項目エリア５には「露出補正」が表示され、設定値更新エリア６には、露出補正値の更新可能範囲が表示されている。なお、図１では、更新可能範囲は最大値（＋２．０）、最小値（−２．０）である。
【００２０】
続いて、スライダ７が移動を開始する。スライダ７の表面には、現在位置における露出補正値が表示されている。スライダ７が下方向に移動すると、それに伴なって、露出補正値の設定値が更新され、画像表示領域２には、その設定値で変更された結果の画像がリアルタイムに表示される。スライダ７は、最下端にまで移動すると、最上端に戻って再び下方への移動を開始する。スライダ７はこの動作をシャッタボタンが全押しされるまで繰り返す。そして、シャッタが全押しされたときには、そのタイミングでスライダ７が示す設定値で撮影が実行される。
【００２１】
以上のようにして、ユーザはファインダ内の更新される画像を監視しながら所望の状態の画像を撮影することができる。また、設定値更新エリア６には推奨範囲８が表示されるため、ユーザはこの表示を参考として、所望の状態の画像を撮影することができる。
【００２２】
なお、設定値が連続した値ではなく離散した値の場合、即ち、項目を選択する場合は、設定値更新エリア６には、項目選択用の表示がなされる。例えば、ユーザが設定項目として「保存フォーマット」を選択すると、設定値更新エリア６には、図２に示す表示がなされる。そして、所定の時間間隔で、選択項目が「ＲＡＷ］→「ＪＰＥＧ−ｌｏｗ］→「ＪＰＥＧ］→「ＪＰＥＧ−ｈｉｇｈ］→「ＴＩＦＦ］→「ＲＡＷ］→…とサイクリックに変更される。そして、それとともに画像表示領域２には、その設定値で変更された結果の画像がリアルタイムに表示され、シャッタが全押しされたときには、そのタイミングで選択されていた設定値で撮影が実行される。
【００２３】
次に、上述の設定方法を実現するための撮像装置２０の構成と、その主な処理手順について説明する。
【００２４】
図３は、撮像装置の構成を示す図である。
【００２５】
撮像装置２０は、光学系２１、光学系制御部２２、撮像部２３、表示部２４、インターフェース２５、メモリ２６、シャッタ２７、操作部２８、タイマ２９、クロック発生部３０、シャッタボタン制御部３１、メインコントローラ３２及び処理部３３で構成されている。
【００２６】
光学系２１は、レンズ、絞り機構などで構成されている。光学系制御部２２は、レンズを移動して合焦動作を制御し、絞り機構を駆動して露出動作を制御する。撮像部２３は、被写体光像をイメージセンサ（不図示）を用いて画像データに変換する。表示部２４は、設定表示画面１を表示するファインダあるいはカメラの液晶である。インターフェース２５は、外部装置との間で画像データなどの情報の授受を行う。メモリ２６は、撮影した画像、カメラを制御するプログラム及び各種データ等を保存する記録媒体である。
【００２７】
シャッタ２７は、撮像動作を開始させる操作ボタンである。操作部２８は、撮像装置のパネル部分に設けられた操作部材である。タイマ２９は、設定された時間経過後に割り込みを発生する。クロック発生部３０は、タイマ２９に基準クロック信号を与える。シャッタボタン制御部３１は、シャッタ２７の位置（半押し、全押し）に対応した制御信号を発生する。メインコントローラ３２は、カメラの駆動動作を制御する。処理部３３は、本発明に係る設定処理を実行すると共に、カメラ全体を統括して制御する。
【００２８】
続いて、設定処理の概略の手順を図４〜図１３を参照しつつ説明する。なお、以下に説明する処理は、設定処理機能の内主な機能に関する処理である。従って、以下の説明に記載されていない機能であっても、図１乃至図３の説明に記載された機能は本設定処理機能に含まれる。また、以下の説明では、上述の方法による設定を「簡易設定」と称する。
【００２９】
ユーザは、図１で説明した簡易設定処理を行うための事前処理である簡易設定登録処理（図４）を実行する。
【００３０】
ユーザが操作部２８を操作して簡易設定登録処理を起動すると、図４のステップＳ０１〜Ｓ０２において、処理部３３は、メモリ２６に保存されているメニュー設定テーブルから簡易設定可能項目を読込み、その項目を表示部２４に表示する。なお、最近に選択されていた項目は反転表示される。
【００３１】
簡易設定可能項目には、「ホワイトバランス」、「露出補正」、「シャッター速度」、「撮影モード」、「測光モード」、「ＩＳＯ感度」、「絞り値」、「フラッシュモード」、「ＡＦフレーム選択」、「連写枚数」、「ブラケット」、「フラッシュ補正」、「彩度」、「コントラスト」、「シャープネス」、「カラー設定」、「ノイズリダクション」、「ノイズフィルタ」、「画像サイズ」などが設けられている。
【００３２】
ユーザは、簡易設定登録処理として次の操作をすることができる。（１）何もしないで設定完了ボタンを操作する。この操作を行うと、これまでの簡易設定可能項目が変更されず継続する。（２）項目を選択して設定完了ボタンを操作する。この操作を行うと、選択された項目が簡易設定可能項目として新たに設定される。（３）簡易設定無効ボタンを押す。この操作を行うと、以降、有効ボタンを操作するまで簡易設定動作を行わない。（４）設定キャンセルボタンを押す。この操作を行うと、この簡易設定登録処理で操作入力した設定をキャンセルして処理を終了する。
【００３３】
ステップＳ０４において、簡易設定無効ボタンが操作されたことを検出したときは、処理部３３は、簡易設定無効化処理（図５）を実行する。そして、図５のステップＴ０１において、簡易設定状態フラグに無効を設定し、その簡易設定状態フラグをメモリ２６に保存してリターンする。
【００３４】
図４に戻り、ステップＳ０６において、設定キャンセルボタンが押下されたときは、この簡易設定登録処理を終了する。
【００３５】
設定完了ボタンが押下されたときは、ステップＳ０７〜Ｓ０９において、選択された簡易設定項目をメモリ２６に保存する。また、簡易設定状態フラグを有効に設定し、その簡易設定状態フラグをメモリ２６に保存する。
【００３６】
次に、シャッタ操作に伴なう簡易設定処理について説明する。
【００３７】
図６のステップＳ１５〜Ｓ１７において、シャッタ２７が一段操作位置にある場合、即ちシャッタ２７が半押し状態にある場合は、ステップＳ１８〜Ｓ１９において、フォーカス調整を実行しつつ一定時間経過するまで待機する。
【００３８】
一定時間が経過する前に、シャッタ２７が二段操作位置になった場合、即ち、シャッタ２７が全押下状態になったときは、設定動作を行わず、ステップＳ１６において、撮影動作を実行する。一方、一定時間が経過する前に、シャッタ２７が一段操作位置から元の状態に復帰した場合は、シャッタ操作が中止されたものとして設定処理を終了する。
【００３９】
シャッタ２７が一段操作位置のまま一定時間が経過したとき（ステップＳ１９  Ｙｅｓ）は、簡易設定読込処理（図７）と簡易設定表示処理（図８）を実行する。
【００４０】
図７のステップＴ０５〜Ｔ０６において、簡易設定状態フラグが有効となっている場合は（ステップＴ０５  Ｙｅｓ）、メモリ２６から選択されている簡易設定項目を読込む。しかし、簡易設定状態フラグが無効となっている場合は（ステップＴ０５  Ｎｏ）、簡易設定項目の読込は行わない。
【００４１】
続いて、簡易設定状態フラグが有効となっている場合は、図８の簡易設定表示処理を実行する。図８のステップＴ１０において、簡易設定項目表示処理（図９）を実行する。
【００４２】
図９のステップＰ０１〜Ｐ０２において、メモリ２６に保存されている簡易設定項目値テーブルから選択された簡易設定項目についての設定可能範囲を読込み、設定値は数値かあるいは項目かを調べる。
【００４３】
設定値が数値の場合（ステップＰ０２  Ｙｅｓ）は、ステップＰ０３〜Ｐ０６において、設定値更新エリア６にスライダ７を表示して、最上部に最大値、最下部に最小値、スライドバーの横に設定値目盛りを表示する。一方、設定値が項目の場合（ステップＰ０２  Ｎｏ）は、ステップＰ０８において、設定可能な全項目を表示する。
【００４４】
そして、ステップＰ０９〜Ｐ１０において、メモリ２６に保存されている簡易設定項目値テーブルから選択された簡易設定項目についての推奨範囲を読込み、その推奨範囲を表示部２４に表示してリターンする。
【００４５】
図８に戻り、選択された簡易設定項目が前回選択されたものと同じ場合（ステップＴ１１  Ｙｅｓ）は、ステップＴ１２において、その簡易設定項目について前回設定された値を読み出す。一方、選択された簡易設定項目が前回選択されたものと異なる場合（ステップＴ１１  Ｎｏ）は、ステップＴ１３において、その簡易設定項目について予め定められた標準設定値を読み出す。
【００４６】
そして、ステップＴ１４において、読み出した設定値を表示部２４に表示する。この設定値は、スライダ７が移動を開始するスタートポイントとなる。
【００４７】
図６に戻り、簡易設定状態フラグが有効となっている場合は、ステップＳ２８において簡易設定処理（図１０）を実行する。そして、図１０のステップＴ２１〜Ｔ２３において、簡易設定項目更新処理（図１１）、タイマ開始処理（図１２）、タイマ監視処理（図１３）を実行する。
【００４８】
図１１のステップＰ１５〜Ｐ１６において、簡易設定項目値テーブルから現在簡易設定値を読込み、現在簡易設定値を最小方向に１単位移動する。続いて、現在簡易設定値が最小値以下となったかどうかを調べ、最小値以下となっている場合（ステップＰ１７  Ｙｅｓ）は、ステップＰ１８において、現在簡易設定値を最大値の位置に設定する。
【００４９】
そして、ステップＰ１９〜Ｐ２０において、新たな現在簡易設定値に表示を更新するとともに、被写体画像を現在簡易設定値を適用して補正処理し、処理後の画像を新たな被写体画像として表示部２４に表示する。
【００５０】
続いて、図１２のステップＰ２５において、次回に簡易設定値表示を更新するためのタイマ２９への時間設定値を読込む。そして、タイマ２９の動作が開始中でなければ（ステップＰ２６  Ｎｏ）、ステップＰ２７において、タイマ処理を開始する。一方、タイマ２９の動作が既に開始していれば（ステップＰ２６  Ｙｅｓ）、ステップＰ２８において、タイマ処理をキャンセルする。
【００５１】
次に、図１３のステップＰ３１において、設定するタイマ値を読込み、タイマの動作が既に開始されているかどうかを調べる。タイマが動作を開始していなければ（ステップＳ３２  Ｎｏ）、タイマフラグをＯＦＦとしてリターンする。タイマが動作を開始していれば（ステップＳ３２  Ｙｅｓ）、ステップＰ３４〜Ｐ３６において、クロック発生部３０からのクロックをカウントして設定時間が経過したかどうかを調べる。
【００５２】
もし、設定時間が経過する前にタイマがキャンセルされた場合（ステップＰ３５  Ｙｅｓ）は、タイマフラグをＯＦＦとしてリターンする。設定時間が経過した場合（ステップＰ３６  Ｙｅｓ）は、タイマフラグをＯＮとしてリターンする。
【００５３】
図１０に戻り、タイマフラグがＯＮの場合（ステップＴ２４  Ｙｅｓ）は、ステップＴ２１〜Ｔ２３を繰り返して実行する。即ち、タイマ時間の間隔で、表示部２４に表示されている簡易設定値を一単位づつ更新する。そして、タイマフラグがＯＦＦの場合（ステップＴ２４  Ｎｏ）は、簡易設定処理を終了する。
【００５４】
図６に戻り、ステップＳ２５において、簡易設定値を更新中にシャッタ２７が二段操作位置になった（ステップＳ２５  Ｙｅｓ）場合、即ち、シャッタ２７が全押下状態になったときは、ステップＳ２６において、そのときの簡易設定値を、確定した簡易設定値としてメモリに記憶するとともに、ステップＳ１６において、撮影動作を実行する。一方、簡易設定値が更新中に、シャッタ２７が一段操作位置から元の状態に復帰した場合（ステップＳ２７  Ｎｏ）は、シャッタ操作が中止されたものとして設定処理を終了する。
【００５５】
なお、上述の実施の形態では、シャッタ操作の各段階に撮影条件を決定する機能を設定しているが、これに限らず、広く撮影に関連した機能を設定しても良い。また、シャッタ２７の一段操作でフォーカス調整と露出補正とを実行しているが、この組合せに限定されず任意の組合せでも良い。更に、シャッタ操作を２段以上の複数段階設けても良い。シャッタ操作のみで設定を行えるように構成し、また設定結果をファインダで確認できるようにすることで操作の簡便化と効率化が図れるからである。
【００５６】
［実施の形態の効果］
従来のデジタルカメラの撮像設定は、デジタルカメラのメニュー画面を使って、予め設定してから撮影する必要がある。本発明は、シャッターボタン操作のみで、簡単に撮影設定を変更する機能を提供する。また、それとともに設定変更結果として得られる画像をファインダー内にリアルタイムに表示する機能も提供する。
【００５７】
これにより、ユーザはシャッターボタン操作のみで設定を変更し、かつ効果を確認しながら撮影を行うことが可能となる。例えば、露出補正値を段階的に変更しながら撮影を行い、後にユーザの最も気に入った写真を選択するといったことが容易に実現できる。この時ファインダー内で予め効果適用イメージを確認しているため、撮影失敗や撮影イメージの違いも防止できる。
【００５８】
また、設定変更の対象は任意に割り当てることが出来るため、よく使う設定項目に割り当てて使用することもできる。
【００５９】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００６０】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００６１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６２】
【図１】設定表示画面を示す図。
【図２】項目選択用の表示を示す図。
【図３】撮像装置の構成を示す図。
【図４】簡易設定登録処理の手順を示すフロー図。
【図５】簡易設定無効化処理の手順を示すフロー図。
【図６】簡易設定処理の手順を示すフロー図。
【図７】簡易設定読込処理の手順を示すフロー図。
【図８】簡易設定表示処理の手順を示すフロー図。
【図９】簡易設定項目表示処理の手順を示すフロー図。
【図１０】簡易設定処理の手順を示すフロー図。
【図１１】簡易設定項目更新処理の手順示すフロー図。
【図１２】タイマ開始処理の手順を示すフロー図。
【図１３】タイマ監視処理の手順を示すフロー図。
【符号の説明】
【００６３】
１…設定表示画面、２…画像表示領域、３…簡易設定領域、５…設定項目エリア、６…設定値更新エリア、７…スライダ、８…推奨範囲、２０…撮像装置、２１…光学系、２２…光学系制御部、２３…撮像部、２４…表示部、２６…メモリ、２７…シャッタ、２８…操作部、２９…タイマ、３１…シャッタボタン制御部、３３…処理部。
【図１】
2006050419.tif 000003
【図２】
2006050419.tif 000004
【図３】
2006050419.tif 000005
【図４】
2006050419.tif 000006
【図５】
2006050419.tif 000007
【図６】
2006050419.tif 000008
【図７】
2006050419.tif 000009
【図８】
2006050419.tif 000010
【図９】
2006050419.tif 000011
【図１０】
2006050419.tif 000012
【図１１】
2006050419.tif 000013
【図１２】
2006050419.tif 000014
【図１３】
2006050419.tif 000015